(57)【特許請求の範囲】
【請求項１】
走行機体の後部に装着され、該走行機体から動力を受け、元畦の一部及び圃場を耕耘して畦状に盛り上げる耕耘ロ−タを備えた前処理体、及びこの前処理体により耕耘された土壌を回転しながら畦に成形するドラム状の整畦体を備えた畦塗り機において、
上記前処理体及び整畦体を、１つのフレーム構造により支持し、かつ１つのフレーム構造から前処理体及び整畦体に動力伝達するようにすると共に、前記前処理体の耕耘ロ−タに装着される耕耘爪自体で該耕耘爪の幅と等しい取付け基部に、耕耘爪の回転方向に対して対向するように突出するリブを形成したことを特徴とする畦塗り機。
【発明の詳細な説明】
【０００１】
【発明の属する技術分野】
本発明は、元畦の一部及び圃場を耕耘して畦状に盛り上げる耕耘ロ−タを備えた前処理体、及びこの前処理体により耕耘された土壌を回転しながら畦に成形するドラム状の整畦体を一つのフレーム構造に支持すると共に伝動し、耕耘ロ−タに取付ける耕耘爪の基部の摩耗を軽減するようにした畦塗り機に関する。
【０００２】
【従来の技術】
従来、走行機体の後部に装着され、該走行機体から動力を受け、元畦の一部及び圃場を耕耘して畦状に盛り上げる耕耘ロ−タを備えた前処理体及びこの前処理体により耕耘された土壌を回転しながら畦に成形するドラム状の整畦体を備え、耕耘ロ−タの爪取付けボックスあるいはフランジに対し、耕耘爪の取付け基部をボルト・ナットにより締付けて取付けるようにした畦塗り機が周知である（例えば、特許文献１参照）。
【０００３】
【特許文献１】
特開平１０−２９０６０１号公報
【０００４】
上記前処理体及び整畦体を支持するフレームは構造が複雑であり、また走行機体からフレームへ、フレームから前処理体及び整畦体へ動力を伝達する構造も複雑であるので、構成が大型となり、重量が重いものとなっていた。このため、走行機体に対する重量バランスが悪く、所望の畦整形が行えない場合が多かった。また、前処理体の耕耘ロ−タは、耕深が深く、耕耘ロ−タの爪取付けボックスあるいはフランジに取付けられた耕耘爪は、耕耘軸が耕土に入り込む程度に深く入って回転して耕耘するので、取付け基部から左右方向に突出するボルト・ナットの摩耗が激しかった。
【０００５】
【発明が解決しようとする課題】
上記のように従来の畦塗り機は、前処理体及び整畦体が大型となって重量が重く、走行機体に対して重量バランスが悪く、所望の畦整形が行えない、耕耘ロ−タに取付けられる耕耘爪の取付け基部のボルト・ナットの摩耗が激しい、などの問題点があった。本発明は、このような問題点を解決することを目的になされたものである。
【０００６】
【課題を解決するための手段】
上記の目的を達成するために本発明は、走行機体の後部に装着され、該走行機体から動力を受け、元畦の一部及び圃場を耕耘して畦状に盛り上げる耕耘ロ−タを備えた前処理体、及びこの前処理体により耕耘された土壌を回転しながら畦に成形するドラム状の整畦体を備えた畦塗り機において、上記前処理体及び整畦体を、１つのフレーム構造により支持し、かつ１つのフレーム構造から前処理体及び整畦体に動力伝達するようにすると共に、前記前処理体の耕耘ロ−タに装着される耕耘爪自体で該耕耘爪の幅と等しい取付け基部に、耕耘爪の回転方向に対して対向するように突出するリブを形成したことを特徴としている。
【０００７】
【作用】
上記の構成により本発明の畦塗り機は、前処理体及び整畦体は、１つのフレーム構造により支持され、かつ１つのフレーム構造から動力伝達されるから、小型で重量が軽くなり、重量バランスが良くなって良好な畦整形が行われる。また、前処理体の耕耘ロ−タに装着される耕耘爪自体の取付け基部に、耕耘爪の回転方向に対して対向するように突出するリブを形成しているから、耕耘ロ−タが深く土中に入って耕耘しても、耕耘爪に形成されたリブによって耕耘爪を取付けているボルト・ナットに直接土が接触することが少なくなり、ボルト・ナットの摩耗を減少させる。
【０００８】
【発明の実施の形態】
以下、本発明の実施の形態を添付の図面を参照して具体的に説明する。
図１ないし図３に示す第１実施例において、符号１は図示しないトラクタの後部に設けられたトップリンク及びロアリンクからなる三点リンク連結機構に連結されて、整畦作業を行う畦塗り機である。この畦塗り機１は、伝動フレームを兼ねる本体フレーム２を、機体の進行方向と直交するようにして設けている。この本体フレーム２には、前端部から前方に向け突出し、トラクタのＰＴＯ軸からユニバーサルジョイント及び伝動軸を介して動力を受ける図示しない入力軸が設けられ、また、上方に突出するトップリンク連結部３を設けると共に、下部左右にロアリンク連結部４，４を設け、トラクタの三点リンク連結機構に連結するようにしている。
【０００９】
本体フレーム２の後部に前端が枢着された左右一対の平行リンク５，６の後端部に１つのフレーム構造からなる支持・伝動フレーム７が枢着され、左右方向に移動（オフセット）可能になっている。この支持・伝動フレーム７には、元畦の一部及び圃場を耕耘して畦状に盛り上げる耕耘ロ−タ８を備えた前処理体９、及びこの前処理体９により耕耘された土壌を回転しながら畦に成形する多角円錐状ドラム１０を備えた整畦体１１が、図４にも示す前処理体支持・伝動フレーム７ａ及び整畦体支持・伝動フレーム７ｂを介して支持され、かつ動力伝達されるようになっている。
【００１０】
上記平行リンク５，６の一方のリンク５の支持・伝動フレーム７との枢支位置と、他方のリンク５の中間部との間に、オフセット量調節用電動シリンダ１２が介装され、この電動シリンダ１２の伸縮作動により前処理体９及び整畦体１１のオフセット量が無段階に調節可能である。そして、前処理体９及び整畦体１１をオフセットしない図２の状態から、図１の最大限オフセットした状態まで、無段階に調節される。上記本体フレーム２から後方に突出した出力軸（図示せず）から、両端にユニバーサルジョイントを装着した伸縮伝動軸１３を介して、支持・伝動フレーム７の前側に設けた伝動ボックス１４の入力軸１４ａに動力が伝達される。前処理体９及び整畦体１１の上側は、前処理体カバー９ａ及び整畦体カバー１１ａにより覆われている。このうちの前処理体カバー９ａは、左右方向にスライドして耕耘土壌の放出方向を調節するようにしている。
【００１１】
前処理体９の耕耘ロ−タ８は、その回転軸１５の軸心を機体の進行方向と直交するように配設し、この回転軸１５の軸周に設けた多数の爪取付けボックス１６に対してボルト・ナット１７により耕耘爪１８の取付け基部を取付け、耕耘ロ−タ８の回転により元畦の一部及び圃場を耕耘して元畦に対して畦状に盛り上げるようにしている。また、前処理体９を支持している前処理体支持・伝動フレーム９ａは、その基部が支持・伝動フレーム７に対して上下方向に回動でき、上下調整装置１９により独自に上下調節が可能となっている。一方、支持・伝動フレーム７の整畦体１１と反対側の側端部には、三角ディスク状のゲージホイール２０が上下調節支持部２１により上下調節可能に設けられている。
【００１２】
従って、支持・伝動フレーム７は、上下調節支持部２１によるゲージホイール２０の上下移動により上下調節され、これに伴って前処理体９及び整畦体１１も上下調節されてそれぞれの作業高さが同時に調節される。また、この上下調節とは別に、前処理体９は上下調整装置１９により独自に上下調節されて、耕耘ロ−タ８による耕耘深さ、即ち、耕耘土壌量が調節される。
【００１３】
上記整畦体１１は、整畦体支持・伝動フレーム７ｂの終端部から機体側方に向け突出した回転軸２２に対して多角円錐状ドラム１０の基部を取付け、この多角円錐状ドラム１０の基部から外側に向け延長するような状態で、水平筒状体２３を取付けている。この水平筒状体２３の上側も、整畦体カバー１１ａにより覆われている。
【００１４】
図７に示すように、耕耘ロ−タ１８の爪取付けボックス１６にボルト・ナット１７を介して装着される耕耘爪１８の取付け基部に、耕耘爪１８の回転方向に対して対向するように突出するリブ１８ａが形成されている。これらリブ１８ａによって、耕耘爪１８が回転して耕耘作業を行うとき、ボルト・ナット１７にストレートに土が当たらなくなり、ボルト・ナット１７の摩耗が減少される。
【００１５】
図５及び図６に示す本発明の第２実施例の畦塗り機１は、上記第１実施例における支持・伝動フレーム７と、前処理体９及び整畦体１１を支持し、伝動する前処理体支持・伝動フレーム７ａ及び整畦体支持・伝動フレーム７ｂの構成を変えたものである。即ち、支持・伝動フレーム７から後方に整畦体支持・伝動フレーム７ｃを突出させて、整畦体１１を支持すると共に伝動する。また、支持・伝動フレーム７から前方に前処理体支持・伝動フレーム７ｄを突出させて、前処理体９を支持すると共に伝動するが、この前処理体支持・伝動フレーム７ｄには整畦体支持・伝動フレーム７ｃから伝動軸２４を介して動力伝達される。
【００１６】
この第２実施例においては、第１実施例における上下調整装置１９は設けられておらず、上下調節支持部２１のみにより支持・伝動フレーム７と前処理体９及び整畦体１１の上下調節が同時に行われる。その他の構成は、第１実施例の構成と同様である。
【００１７】
このような構成の畦塗り機１においては、トラクタの三点リンク連結機構にトップリンク連結部３及びロアリンク連結部４，４を連結し、トラクタのＰＴＯ軸から本体フレーム２の入力軸に動力を受け、この動力を伸縮伝動軸１３を介して支持・伝動フレーム７の伝動ボックス１４の入力軸１４ａに伝達する。支持・伝動フレーム７では、前処理体支持・伝動フレーム７ａまたは７ｄ及び整畦体支持・伝動フレーム７ｂまたは７ｃを介して前処理体９及び整畦体１１に動力伝達して駆動回転させてそれぞれの作業を行う。
【００１８】
前処理体９では元畦の一部及び圃場を耕耘して元畦に対して畦状に盛り上げ、その耕耘された土壌を整畦体１１の多角円錐状ドラム１０の多角の稜線と平面部が回転して畦法面を叩いて畦に成形する。また、水平筒状体２３は、畦の頂部に回転しながら接して均平にする。
【００１９】
圃場の形状や土壌の状態などに応じて前処理体９及び整畦体１１をオフセットさせた方がよい場合には、オフセット量調節用電動シリンダ１２を伸縮作動させて前処理体９及び整畦体１１のオフセット量を無段階に調節し、適切な状態で製畦作業を行うことができる。また、前処理体９及び整畦体１１の作用深さを調節するときは、上下調整装置１９、２１により支持・伝動フレーム７、前処理体９及び整畦体１１を上下調節する。
【００２０】
前処理体９においては、耕耘ロ−タ１８の爪取付けボックス１６にボルト・ナット１７を介して装着された耕耘爪１８が回転して耕耘作業を行うとき、リブ１８ａによって、ボルト・ナット１７にストレートに土が当たるのが回避され、ボルト・ナット１７の摩耗を低下させ、ボルト・ナット１７の耐久性を向上させると共に、耕耘爪１８の交換作業を容易にする。
【００２１】
【発明の効果】
以上説明したように本発明の畦塗り機によれば、走行機体の後部に装着され、該走行機体から動力を受け、元畦の一部及び圃場を耕耘して畦状に盛り上げる耕耘ロ−タを備えた前処理体、及びこの前処理体により耕耘された土壌を回転しながら畦に成形するドラム状の整畦体を備えた畦塗り機において、前処理体及び整畦体を、１つのフレーム構造により支持し、かつ１つのフレーム構造から前処理体及び整畦体に動力伝達するように構成したので、畦塗り機が小型になり、重量が軽くなって走行機体に対する重量バランスが良くなり、良好な畦整形を実施することができる。
【００２２】
前処理体の耕耘ロ−タに装着される耕耘爪の取付け基部に、耕耘爪自体の回転方向に対して対向するように突出するリブを形成したので、耕耘ロ−タが深く耕耘しても、リブによって耕耘爪を取付けているボルト・ナットに直接土が接触することがなく、ボルト・ナットの摩耗を大幅に軽減させることができる。
【図面の簡単な説明】
【図１】本発明による畦塗り機の第１実施例の平面図である。
【図２】同オフセット量を調節した状態の平面図である。
【図３】一部切断した状態の平面図である。
【図４】１つのフレーム構造の伝動部分の側面図である。
【図５】本発明による畦塗り機の第２実施例の平面図である。
【図６】同オフセット量を調節した状態の平面図である。
【図７】前処理体の耕耘ロ−タにリブ付きの耕耘爪を取付けた状態の斜視図である。
【符号の説明】
１ 畦塗り機
２ 本体フレーム
３ トップリンク連結部
４ ロアリンク連結部
５，６ オフセット用平行リンク
７ 支持・伝動フレーム ７ａ，７ｄ 前処理体支持・伝動フレーム ７ｂ，７ｃ 整畦体支持・伝動フレーム
８ 耕耘ロ−タ
９ 前処理体 ９ａ カバー
１０ 多角円錐状ドラム
１１ 整畦体 １１ａ カバー
１２ オフセット量調節用電動シリンダ
１３ 伸縮伝動軸
１４ 伝動ボックス １４ａ 入力軸
１５，２２ 回転軸
１６ 爪取付けボックス
１７ ボルト・ナット
１８ 耕耘爪 １８ａ リブ
１９，２１ 上下調整装置
２０ ゲージホイール
２３ 水平筒状体
２４ 伝動軸
【図１】
0003875633.tif 000002
【図２】
0003875633.tif 000003
【図３】
0003875633.tif 000004
【図４】
0003875633.tif 000005
【図５】
0003875633.tif 000006
【図６】
0003875633.tif 000007
【図７】
0003875633.tif 000008